(57)【要約】　　　（修正有）【課題】極めて簡単な構成で、しかも、薬剤収容室の内部を汚すことなく製造することができる複室容器を提供する。【解決手段】複数の収容室３，５を有する複室容器において、第一の収容室３と隣接して第二の仕切部８で仕切られた別室２０を形成し、別室２０内に乾燥剤及び（又は）脱酸素剤Ｘを封入し、第一の収容室３の片側の壁を構成している部分と別室２０の片側を構成している部分とを含むシート材部分１ａ’を水分透過性及び（又は）ガス非透過性のものとして構成し、第一の収容室３の他側の壁を構成している部分と別室２０の他側を構成している部分とを含むシート材部分１ｂ’を水分透過性及び（又は）ガス透過性のものとして構成し、別室２０の片側の壁を外側に位置させた状態で別室２０を第一の収容室３に対して折り畳み、折り畳むことにより互いに重ね合わされた別室２０と第一の収容室３との周縁部を互いに剥離可能に接合させた。【選択図】　図３
2004016539.tif 000002
【特許請求の範囲】
【請求項１】
可撓性シート材にて略扁平状に形成され、薬剤を収容し且つ必要に応じて連通させることができるように第一の仕切部で仕切られた複数の収容室を有する複室容器であって、前記複数の収容室の内で、吸湿性或いは易酸化性の薬剤又は吸湿性と易酸化性との特性を兼ね備えた薬剤を収容した第一の収容室と隣接して第二の仕切部で仕切られた別室を形成し、前記別室内に乾燥剤或いは脱酸素剤又は乾燥剤及び脱酸素剤を封入し、前記略扁平状の複室容器の片側を構成しているシート材の内の、少なくとも、前記第一の収容室の片側の壁を構成している部分と前記別室の片側の壁を構成している部分とを含むシート材部分を水分非透過性或いはガス非透過性又は水分・ガス非透過性のものとして構成し、前記略扁平状の複室容器の他側を構成しているシート材の内の、少なくとも、前記第一の収容室の他側の壁を構成している部分と前記別室の他側を構成している部分とを含むシート材部分を水分透過性或いはガス透過性又は水分・ガス透過性のものとして構成し、前記別室の前記片側の壁を外側させた状態で前記別室を前記第一の収容室に対して折り畳み、折り畳むことにより互いに重ね合わされた前記別室と前記第一の収容室との周縁部を互いに剥離可能に接合させたことを特徴とする複室容器。
【請求項２】
前記別室を前記第一の収容室に対して折り畳むことにより互いに対向する前記別室の前記他側の壁と前記第一の収容室の前記他側の壁との少なくとも一方に、通気手段を設けたことを特徴とする、請求項１に記載の複室容器。
【請求項３】
前記通気手段が、前記第一の収容室の前記他側の壁に設けられたメンブレン機構であることを特徴とする、請求項２に記載の複室容器。
【請求項４】
前記通気手段が、前記別室の前記他側の壁に形成された少なくとも一つの通気孔であることを特徴とする、請求項２に記載の複室容器。
【請求項５】
前記メンブレン機構が、疎水性マイクロポーラスメンブレン素子であることを特徴とする、請求項３に記載の複室容器。
【請求項６】
前記メンブレン機構が、前記第一の収容室の内部側に面するよう前記第一の収容室の前記他側の壁に設けられた親水性マイクロポーラスメンブレン素子と、前記第一の収容室の外部側に面するよう前記第一の収容室の前記他側の壁に設けられた疎水性マイクロポーラスメンブレン素子とにより構成されていることを特徴とする、請求項３に記載の複室容器。
【請求項７】
前記通気手段が、前記別室の前記他側の壁と前記第一の収容室の前記他側の壁との双方に設けられ、前記別室の前記他側の壁に設けられた通気手段が、前記別室の前記他側の壁に形成された少なくとも一つの通気孔であり、前記第一の収容室の前記他側の壁に設けられた通気手段が、メンブレン機構であることを特徴とする、請求項２に記載の複室容器。
【請求項８】
前記メンブレン機構が、疎水性マイクロポーラスメンブレン素子であることを特徴とする、請求項７に記載の複室容器。
【請求項９】
前記メンブレン機構が、前記第一の収容室の内部側に面するよう前記第一の収容室の前記他側の壁に設けられた親水性マイクロポーラスメンブレン素子と、前記第一の収容室の外部側に面するよう前記第一の収容室の前記他側の壁に設けられた疎水性マイクロポーラスメンブレン素子とにより構成されていることを特徴とする、請求項７に記載の複室容器。
【請求項１０】
前記シート材の内で、前記別室の周縁部の一部を構成しているシート材部分を互いに剥離可能に溶着することにより、前記別室内の前記乾燥剤或いは脱酸素剤又は乾燥剤及び脱酸素剤を前記別室より必要に応じて取り出せるよう構成したことを特徴とする、請求項１〜９のいずれか一項に記載の複室容器。
【請求項１１】
前記第一の収容室の前記片側の壁を構成している部分と前記別室の前記片側の壁を構成している部分とを含む前記シート材部分を水分非透過性或いはガス非透過性又は水分・ガス非透過性のフィルムで被覆することにより、前記第一の収容室の前記片側の壁を構成している部分と前記別室の前記片側の壁を構成している部分とを含む前記シート材部分を水分非透過性或いはガス非透過性又は水分・ガス非透過性のものとして構成したことを特徴とする、請求項１〜１０に記載の複室容器。
【発明の詳細な説明】
【０００１】
【発明の属する分野】
本発明は、薬液，粉末剤或いは固形剤の如き薬剤を収容し保存する可撓性複室容器の改良に関するもので、詳しくは、容器内に収容した吸湿性薬剤の吸湿，易酸化性薬剤の酸化を防止して安定した状態で該薬剤を収容保存するのに有用な可撓性複室容器に関するものである。
【０００２】
【従来の技術】
従来、この種の複室容器としては、乾燥剤，脱酸素剤を備えることにより、容器内に収容した薬剤の吸湿或いは酸化を防止するようにしたものが提案されている。具体的には、（１）薬剤を収容し水分非透過性および／またはガス非透過性のフィルムで構成された室内に、内部に乾燥剤および／または脱酸素剤を収容し水分透過性および／またはガス透過性のフィルムで構成された小袋を配置したもの（特開平１０−２３６５３８、特開平１０−２３６５４１）や（２）吸湿性および／または易酸化性を有する薬剤を収容した室全体を密封状態に覆う水分非透過性および／またはガス非透過性の外壁と外壁に覆われた前記室を構成する水分透過性および／またはガス透過性の内壁との間の空間部内に乾燥剤および／または脱酸素剤を収容したもの（特許第３０６０１３３号）が提案されている。
【０００３】
【発明が解決しようとする課題】
然しながら、上記（１）の複室容器は、容器本体と別個に形成されて乾燥剤等を収容した小袋を薬剤が収容された室内に配置するというものであるため、その分、部品点数が多くなり且つ製造に手間が掛かるため、製造コストが高くなるという欠点がある。また、室内に薬剤を収容した後に小袋を同室内に配置するというものであるため、小袋を室内に配置する作業中に雑菌等が室内に侵入してしまう可能性がある。
また、上記（２）の複室容器は、薬剤を収容した室を構成している内壁全体を外壁で被覆することにより空間部を形成し、その空間部内に乾燥剤等を収容するというものであるため、此亦、製造に手間が掛かるという問題点がある。
【０００４】
本発明は、上述の如き問題点を解消するべく完成されたものであり、極めて簡単な構成で安価に製造することができ、しかも、薬剤収容室の内部を汚すことなく製造することができる複室容器を提供することを目的とする。
【０００５】
上述の如き目的を達成する本発明は、可撓性シート材にて略扁平状に形成され、薬剤を収容し且つ必要に応じて連通させることができるように第一の仕切部で仕切られた複数の収容室を有する複室容器において、前記複数の収容室の内で、吸湿性或いは易酸化性の薬剤又は吸湿性と易酸化性との特性を兼ね備えた薬剤を収容した第一の収容室と隣接して第二の仕切部で仕切られた別室を形成し、前記別室内に乾燥剤或いは脱酸素剤又は乾燥剤及び脱酸素剤を封入し、前記略扁平状の複室容器の片側を構成しているシート材の内の、少なくとも、前記第一の収容室の片側の壁を構成している部分と前記別室の片側の壁を構成している部分とを含むシート材部分を水分非透過性或いはガス非透過性又は水分・ガス非透過性のものとして構成し、前記略扁平状の複室容器の他側を構成しているシート材の内の、少なくとも、前記第一の収容室の他側の壁を構成している部分と前記別室の他側を構成している部分とを含むシート材部分を水分透過性或いはガス透過性又は水分・ガス透過性のものとして構成し、前記別室の前記片側の壁を外側させた状態で前記別室を前記第一の収容室に対して折り畳み、折り畳むことにより互いに重ね合わされた前記別室と前記第一の収容室との周縁部を互いに剥離可能に接合させたことを特徴とする。
請求項２に記載の発明は、請求項１に記載の発明において、前記別室を前記第一の収容室に対して折り畳むことにより互いに対向する前記別室の前記他側の壁と前記第一の収容室の前記他側の壁との少なくとも一方に、通気手段を設けたことを特徴とする。
請求項３に記載の発明は、請求項２に記載のはつめいにおいて、前記通気手段を、前記第一の収容室の前記他側の壁に設けたメンブレン機構で構成したことを特徴とする。
請求項４に記載の発明は、請求項２に記載の発明において、前記通気手段を、前記別室の前記他側の壁に形成した少なくとも一つの通気孔で構成したことを特徴とする。
請求項５に記載の発明は、請求項３に記載の発明において、前記メンブレン機構を、疎水性マイクロポーラスメンブレン素子で構成したことを特徴とする。
請求項６に記載の発明は、請求項３に記載の発明において、前記メンブレン機構を、前記第一の収容室の内部側に面するよう前記第一の収容室の前記他側の壁に設けられた親水性マイクロポーラスメンブレン素子と、前記第一の収容室の外部側に面するよう前記第一の収容室の前記他側の壁に設けられた疎水性マイクロポーラスメンブレン素子とにより構成したことを特徴とする。
請求項７に記載の発明は、請求項２に記載の発明において、前記通気手段を前記別室の前記他側の壁と前記第一の収容室の前記他側の壁との双方に設け、前記別室の前記他側の壁に設けられた通気手段を、前記別室の前記他側の壁に形成された少なくとも一つの通気孔で構成し、前記第一の収容室の前記他側の壁に設けられた通気手段を、メンブレン機構で構成したことを特徴とする。
請求項８に記載の発明は、請求項７に記載の発明において、前記メンブレン機構を、疎水性マイクロポーラスメンブレン素子で構成したことを特徴とする。
請求項９に記載の発明は、請求項７に記載の発明において、前記メンブレン機構を、前記第一の収容室の内部側に面するよう前記第一の収容室の前記他側の壁に設けられた親水性マイクロポーラスメンブレン素子と、前記第一の収容室の外部側に面するよう前記第一の収容室の前記他側の壁に設けられた疎水性マイクロポーラスメンブレン素子とにより構成したことを特徴とする。
請求項１０に記載の発明は、請求項１〜９のいずれか一項に記載の発明において、前記シート材の内で、前記別室の周縁部の一部を構成しているシート材部分を互いに剥離可能に溶着することにより、前記別室内の前記乾燥剤或いは脱酸素剤又は乾燥剤及び脱酸素剤を前記別室から必要に応じて取り出せるよう構成したことを特徴とする。
請求項１１に記載の発明は、請求項１〜１０のいずれか一項に記載の発明において、前記第一の収容室の前記片側の壁を構成している部分と前記別室の前記片側の壁を構成している部分とを含む前記シート材部分を水分非透過性或いはガス非透過性又は水分・ガス非透過性のフィルムで被覆することにより、前記第一の収容室の前記片側の壁を構成している部分と前記別室の前記片側の壁を構成している部分とを含む前記シート材部分を水分非透過性或いはガス非透過性又は水分・ガス非透過性のものとして構成したことを特徴とする。
【０００６】
本発明においては、可撓性シート材にて略扁平状に形成され、薬剤を収容し且つ必要に応じて連通させることができるように第一の仕切部で仕切られた複数の収容室を有する複室容器において、前記複数の収容室の内で、吸湿性或いは易酸化性の薬剤又は吸湿性と易酸化性との特性を兼ね備えた薬剤を収容した第一の収容室と隣接して第二の仕切部で仕切られた別室を形成し、前記別室内に乾燥剤或いは脱酸素剤又は乾燥剤及び脱酸素剤を封入し、前記略扁平状の複室容器の片側を構成しているシート材の内の、少なくとも、前記第一の収容室の片側の壁を構成している部分と前記別室の片側の壁を構成している部分とを含むシート材部分を水分非透過性或いはガス非透過性又は水分・ガス非透過性のものとして構成し、前記略扁平状の複室容器の他側を構成しているシート材の内の、少なくとも、前記第一の収容室の他側の壁を構成している部分と前記別室の他側を構成している部分とを含むシート材部分を水分透過性或いはガス透過性又は水分・ガス透過性のものとして構成し、前記別室の前記片側の壁を外側させた状態で前記別室を前記第一の収容室に対して折り畳み、折り畳むことにより互いに重ね合わされた前記別室と前記第一の収容室との周縁部を互いに剥離可能に接合させるよう構成したので、本発明に依れば、簡単且つ安価に製造することの可能な複室容器が得られるようになる。
また、本発明に係る複室容器においては、従来の複室容器の如く乾燥剤等を収容した小袋を薬剤が収容された室に配置するのではなく、薬剤を収容した第一の収容室と第二の仕切部を介して区画形成された別室内に乾燥剤等を収容し、別室を第一の収容室に対して折り畳むことにより別室内の乾燥剤等による乾燥作用，脱酸素作用を第一の収容室内の薬剤に対して波及させるよう構成したので、本発明に依れば、薬剤収容室の内部を汚すことなく製造することの可能な複室容器が得られるようになる。
【０００７】
【発明の実施の形態】
以下、本発明に係る実施の形態を図面を用いて説明する。
図１は、別室を後述する如く第一の収容室に対して折り畳む前の状態の、本発明の実施形態に係る複室容器の本体の一面側を示した図、図２は、図１に示した容器本体の縦断面図、図３は、別室を第一の収容室に対して折り畳んだ状態の本発明に係る複室容器の縦断面図である。
複室容器の容器本体１は、二枚の可撓性樹脂シート材１ａ，１ｂを重ね合わせ、その周縁部を互いに溶着させると共に略中央部分を横方向に沿って互いに弱シールで剥離可能に溶着させて第一の仕切部７を形成することにより、必要に応じて連通させることのできる第一の収容室３と第二の収容室５とを有する略扁平状のものとして構成されている。更に、第一の収容室３の上端部を横方向に沿って溶着させて第二の仕切部８を形成することにより別室２０が形成されている。
【０００８】
図示実施形態においては、第一の収容室３内には易酸化性及び（又は）吸湿性の粉末剤（図示せず）が収容され、第二の収容室５内には薬液が収容されている。また、別室２０内には、乾燥剤及び（又は）脱酸素剤（以下、「乾燥剤等Ｘ」という。）が封入されている。
【０００９】
第一の収容室３内に収容される粉末剤としては、例えば、抗生剤，抗癌剤，ステロイド剤，血栓溶解剤或いはビタミン剤等の吸湿性及び（又は）易酸化性の物質を挙げることができる。また、第二の収容室５内に収容される薬液としては、例えば、第一の収容室３内に収容される粉末剤の溶解液又は希釈液、例えば、生理食塩液，ブドウ糖液等を挙げることができる。更に、別室２０内に収容される乾燥剤としては、例えば、シリカゲル，ゼオライト，シリカゲル成形物，脱酸素剤一体物等を挙げることができる。また、脱酸素剤としては、三菱瓦斯化学社製のエージレス（商品名），アモルファス銅を用いた脱酸素剤等を挙げることができる。
【００１０】
第二の収容室５寄りの容器本体１の端部には、ゴム栓体１５で閉塞されたポート部１７が設けられている。また、別室２０寄りの容器本体１の端部には、患者に対する施薬時に容器をフック等に吊り下げるための吊り下げ用孔１９が形成されている。
【００１１】
図１中に示した一点鎖線に沿って第二の仕切部８を境にして、図３に示したように別室２０を第一の収容室３に対して折り畳み、互いに重ね合わせた別室２０と第一の収容室３との周縁部を互いに剥離可能に接合させる。これにより、別室２０内に収容された乾燥剤等Ｘによる乾燥作用，脱酸素作用を第一の収容室３内の薬剤に対して波及させることができる。尚、互いに重ね合わされた別室２０と第一の収容室３との周縁部は、例えば、ホットメルト，接着剤，両面粘着テープ等又は溶着により剥離可能に接合させることができる。
【００１２】
略扁平状の容器本体１の片側を構成している可撓性シート材１ａの内の、少なくとも、別室２０の片側壁と第一の収容室３の片側壁とを構成しているシート材部分１ａ’は、水分非透過性及び（又は）ガス非透過性のものとして構成されている。また、略扁平状の容器本体１の他側を構成している可撓性シート材１ｂの内の、少なくとも、別室２０の他側壁と第一の収容室３の他側壁とを構成しているシート材部分１ｂ’は、水分透過性及び（又は）ガス透過性のものとして構成されている。このように、別室２０を第一の収容室３に対して折り重ね時に外側に位置する、別室２０の片側壁と第一の収容室３の片側壁とを構成しているシート材部分１ａ’を、水分非透過性及び（又は）ガス非透過性のものとして構成すれば、第一の収容室３内への水分及び（又は）ガスの侵入を阻止して、第一の収容室３内に収容された薬剤を安定よく保存させることができるようになるばかりでなく、別室２０内に収容した乾燥剤等Ｘが別室２０外の水分，ガスを取り込んでしまうようなことがない。また、別室２０を第一の収容室３に対して折り重ねた時に互いに対接する、別室２０の他側壁と第一の収容室３の他側壁とを構成しているシート材部分１ｂ’を、水分透過性及び（又は）ガス透過性のものとして構成すれば、別室２０内に封入された乾燥剤等Ｘによる乾燥作用，脱酸素作用を水分透過性及び（又は）ガス透過性のシート材部分１ｂ’を介して第一の収容室３内の薬剤に対して波及させることができる。
茲で、水分非透過性及びガス非透過性とは、水分，ガスを完璧に遮断する場合に限らず、水分，ガスをある程度遮断する場合をも含むものと解釈する。
【００１３】
尚、図１〜図３に示した実施形態においては、略扁平状の容器本体１の片側を構成している可撓性シート材１ａ全体を水分非透過性及び（又は）ガス非透過性の素材で構成すると共に、容器本体１の他側を構成している可撓性シート材１ｂ全体を水分透過性及び（又は）ガス透過性の素材で構成したが、乾燥剤等Ｘを収容した別室２０の両壁と吸湿性及び（又は）易酸化性の薬剤を収容した第一の収容室３の両壁とが少なくとも上述した如く構成されていれば、如何なる構成のものであってもよい。例えば、第二の収容室５を、夫々両壁が上述した如く構成された別室２０と第一の収容室３と別体に形成し、第一の仕切部７付近で第一の収容室３と第二の収容室５とを接合して容器本体１を構成してもよい。また、可撓性シート材１ａ，１ｂを水分透過性及び（又は）ガス透過性の素材にて構成し、別室２０を第一の収容室３に対して折り畳んだ時に外側に位置する、第一の収容室３の片側と別室２０の片側とを構成している可撓性シート材部分１ａ’を、図４に示したように、水分非透過性及び（又は）ガス非透過性の素材にて構成したバリアフィルム１３で被覆することにより第一の収容室３の片側壁及び別室２０の片側壁に水分非透過性及び（又は）ガス非透過性を持たせるよう構成してもよい。
【００１４】
水分非透過性及び（又は）ガス非透過性の素材としては、酸化ケイ素蒸着ポリエチレンテレフタラート（市販のものとしては、「シリカペット（商品名）」）のシートやアルミ加工シート等を用いることができるが、水分及び（又は）ガスが第一の収容室３の外側に位置する壁及び別室２０の外側に位置する壁を透過して第一の収容室３及び別室２０内に侵入するのを極力阻止することができれば、如何なる材質のものであってもよい。例えば、内層をポリエチレンとポリプロピレンとの混合樹脂にて構成し、外層をガス透過性，水分透過性の低い樹脂、例えば、ポリエチレンテレフタレート、ポリブチレンテレフタレート等のポリエステル系樹脂、ポリエチレンナフタレート、ポリビニルアルコール、エチレンビニルアルコール共重合体、ポリ塩化ビニリデン、ナイロン等のポリアミド、セロファン等の樹脂で構成した多層のものを用いることもできる。尚、図４のバリアフィルム１３を不透明な素材にて構成した場合には、別室２０内に収容した乾燥剤等Ｘと第一の収容室３内に収容した薬剤とを容器外から視認することができるようにするべく、バリアフィルム１３を必要に応じて剥がすことができるよう容器本体１に貼着するのが好ましい。また、バリアフィルム１３を容器本体１より剥がし易くするために、摘み片１３ａをバリアフィルム１３に設けるとよい。更に、別室２０を第一の収容室３に対して折り畳んだ時に外側に位置するシート材部分１ａ’の全面にバリアフィルム１３を密着させてもよいし、また、その周縁部をシート材部分１ａの周縁部に貼着させてもよい。
【００１５】
また、図５中に破線で示したように、別室２０の一辺部２０ａを構成しているシート材１ａ’，１ｂ’の一部分を弱シールで剥離可能に溶着すれば、必要に応じて別室２０の一辺部２０ａを剥離させて別室２０を開口させることにより、乾燥剤等Ｘを別室２０より取り出して容器本体１と分別廃棄することができるようになる。
【００１６】
更に、図６（ａ）〜図６（ｄ）に示したように、別室２０を第一の収容室３に対して折り畳んだ時に内側で重ね合わされる、第一の収容室３の壁と別室２０の壁とを構成しているシート材部分１ｂ’の適宜箇所に通気手段３０を設けるよう構成すれば、別室２０内に封入した乾燥剤等Ｘによる乾燥作用、脱酸素作用を第一の収容室３内に収容した粉末剤に対して通気性手段３０を介してより効果的に波及させることができるようになる。
【００１７】
図６（ａ）は、通気手段３０として、ガス及び水分を物理的に通過させることのできる多数の小孔を備えた疎水性マイクロポーラスメンブレン３０ａを設けた例を示した図である。このマイクロポーラスメンブレン３０ａは、別室２０を第一の収容室３対してに折り畳んだ時に内側で重ね合わされる、第一の収容室３の壁と別室２０の壁とを構成しているシート材部分１ｂ’の内の、第一の収容室３の壁を構成している部分に形成された孔１ｃを被覆するように第一の収容室３の壁部の内面に装着されている。疎水性マイクロポーラスメンブレン３０ａ及び後述する親水性マイクロポーラスメンブレン３０ｂとしては、４ふっ化エチレン（ＰＴＦＥ、市販のものとしては、「テフロン（商品名）」）にて構成した多孔質膜，高密度ポリエチレン（市販の物としては、「タイベック（商品名）」）にて構成した多孔質膜等を用いることができるが、第一の収容室３の壁部に液密に装着することができ且つそれぞれ疎水性，親水性の性質をもたせたものであれば如何なる多孔質膜をも用いることができる。尚、ふっ化エチレンの多孔質膜を熱溶着により第一の収容室３の壁部に装着する場合には、４ふっ化エチレンが第一の収容室３を構成している樹脂壁に熱溶着しないので、高密度ポリエチレンのメッシュに４ふっ化エチレンの多孔質膜を積層させて、高密度ポリエチレンのメッシュを介して４ふっ化エチレンの多孔質膜を第一の収容室３の壁部に熱溶着させるとよい。
【００１８】
図６（ｂ）は、図６（ａ）に示した例において、疎水性マイクロポーラスメンブレン３０ａに加えて、別室２０を第一の収容室３対してに折り畳んだ時に内側で重ね合わされる、第一の収容室３の壁と別室２０の壁とを構成しているシート材部分１ｂ’の内の、別室２０の壁を構成している部分に複数の通気孔１ｄを通気手段３０の一構成要素として設けた例を示した図である。また、図６（ｃ）は、疎水性性のマイクロポーラスメンブレン３０ａと親水性のマイクロポーラスメンブレン３０ｂとによる二重のメンブレン構造のものとして通気性手段３０を構成した例を示したものである。この場合には、第一の収容室３の壁を構成しているシート材部分に形成された孔１ｃを挟んで、第一の収容室３の外部側に疎水性マイクロポーラスメンブレン３０ａが面し、第一の収容室３の内部側に親水性マイクロポーラスメンブレン３０ｂが面するようにして、疎水性マイクロポーラスメンブレン３０ａと親水性マイクロポーラスメンブレン３０ｂとが、第一の収容室３の壁部に装着されている。更に、図６（ｄ）は、図６（ｃ）に示した例において、疎水性マイクロポーラスメンブレン３０ａと親水性マイクロポーラスメンブレン３０ｂに加えて、別室２０を第一の収容室３対してに折り畳んだ時に内側で重ね合わされる、第一の収容室３の壁と別室２０の壁とを構成しているシート材部分１ｂ’の内の、別室２０の壁を構成している部分に複数の通気孔１ｄを通気手段３０の一構成要素として設けた例を示した図である。尚、図６（ｂ）及び図６（ｄ）の例においては、通気孔１ｄを複数個設けたが、少なくとも１個設ければよい。また、図６（ａ）〜図６（ｄ）に示した実施形態においては、通気手段３０をマイクロポーラスメンブレン素子３０ａ，３０ｂにて構成し或いはこれらメンブレン素子３０ａ，３０ｂと通気孔１ｄとの組み合わせにて構成したが、第一の収容室３の壁と別室２０の壁とを構成しているシート材部分１ｂ’の内の、別室２０の壁を構成している部分に形成した通気孔１ｄのみにて通気手段３０を構成したものであってもよい。
【００１９】
本発明に係る複室容器を患者に対する施薬の用に供する場合には、先ず、互いに重ね合わされて周縁部が剥離可能に接合された別室２０と第一の収容室３との周縁部を剥離させる。次いで、容器本体１を押圧して容器内の内圧を増加させて仕切部７を剥離させるか或いは仕切部７に相当するシート１ａ，１ｂの部分を互いに剥離させる方向に引っ張って仕切部７を剥離させることにより、第一の収容室３と第二の収容室５とを連通させて、第一の収容室３内に収容された粉末剤と第二の収容室５内に収容された薬液とを容器本体１内で混合させる。粉末剤と薬液とを混合させた後に、ゴム栓体１５に輸液セットを接続することにより、その輸液セットを介して容器内の薬剤を患者に対して施薬することができる。
【００２０】
このように構成した本発明に係る複室容器においては、乾燥剤等Ｘが封入された別室３０を易酸化性及び（又は）吸湿性の粉末剤が収容された第一の収容室３に対して重ね合わせるよう構成したので、乾燥剤等Ｘによる乾燥作用，脱酸素作用を第一の収容室３の水分透過性及び（又は）ガス透過性の壁を介して第一の収容室３内の粉末剤に対して波及させて、第一の収容室３内の粉末剤を安定よく保管収容することができるようになる。また、本発明に係る複室容器においては、従来の複室容器の如く乾燥剤等を収容した小袋を薬剤が収容された室内に配置するのではなく、薬剤を収容した第一の収容室３と第二の仕切部８を介して区画形成された別室２０内に乾燥剤等Ｘを収容し、別室２０を第一の収容室３に対して折り畳むことにより別室２０内の乾燥剤等Ｘによる乾燥作用、脱酸素作用を第一の収容室３内の薬剤に対して波及させるよう構成したので、本発明に依れば、薬剤収容室の内部を汚すことなく製造することの可能な複室容器が得られるようになる。
【００２１】
尚、特定の実施形態を用いて本発明を説明したが、本発明は、それに限らず、本発明の趣旨を逸脱しない範囲で適宜変更を加えてものを含むことは明らかである。例えば、上述した実施形態においては、容器本体を二つの薬剤収容室を有するものとして構成したが、三つ以上の薬剤収容室を有するものとして構成してもよい。また、上述した実施形態においては、第一の収容室３内に粉末剤を封入し、第二の収容室５内に液剤を封入したが、目的に応じて液剤を第一の収容室３内に封入し、粉末剤を第二の収容室５内に封入するようにしてもよい。尚、この場合には、二つ折りにした第一の収容室３の内側には脱酸素剤のみを封入する。更に、図示実施形態においては、二枚の可撓性シート材を重ね合わせて溶着することにより容器本体を形成したが、ブロー成形等により容器本体を筒状に形成して所定箇所を溶着することにより複室容器を形成するようにしてもよい。
【００２２】
【発明の効果】
上述した如く、本発明においては、可撓性シート材にて略扁平状に形成され、薬剤を収容し且つ必要に応じて連通させることができるように第一の仕切部で仕切られた複数の収容室を有する複室容器において、前記複数の収容室の内で、吸湿性及び（又は）易酸化性の薬剤を収容した第一の収容室と隣接して第二の仕切部で仕切られた別室を形成し、前記別室内に乾燥剤及び（又は）脱酸素剤を封入し、前記略扁平状の複室容器の片側を構成しているシート材の内の、少なくとも、前記第一の収容室の片側の壁を構成している部分と前記別室の片側の壁を構成している部分とを含むシート材部分を水分非透過性及び（又は）ガス非透過性のものとして構成し、前記略扁平状の複室容器の他側を構成しているシート材の内の、少なくとも、前記第一の収容室の他側の壁を構成している部分と前記別室の他側を構成している部分とを含むシート材部分を水分透過性及び（又は）ガス透過性のものとして構成し、前記別室の前記片側の壁を外側に位置させた状態で前記別室を前記第一の収容室に対して折り畳み、折り畳むことにより互いに重ね合わされた前記別室と前記第一の収容室との周縁部を互いに剥離可能に接合させるよう構成したので、本発明に依れば、簡単且つ安価に製造することの可能な複室容器が得られる。また、本発明に係る複室容器においては、従来の複室容器の如く乾燥剤等を収容した小袋を薬剤が収容された室内に配置するのではなく、乾燥剤等を収容した別室を薬剤が収容された第一の収容室に対して折り畳むことにより重ね合わされた別室の水分透過性及び（又は）ガス透過性の壁と第一の収容室の水分透過性及び（又は）ガス透過性の壁を介して、別室内の乾燥剤等による乾燥作用、脱酸素作用を第一の収容室内の薬剤に対して波及させるよう構成したので、本発明に依れば、薬剤収容室の内部を汚すことなく製造することの可能な複室容器が得られる。
【図面の簡単な説明】
【図１】別室を第一の収容室に対して折り畳む前の状態の、本発明の実施形態に係る複室容器の容器本体の一面側を示した図である。
【図２】図１に示した容器本体の縦断面図である。
【図３】図１及び図２に示した別室を第一の収容室に対して折り畳んで互いに重ね合わされた別室と第一の収容室との周縁部を剥離可能に接合して成る、本発明に係る複室容器の縦断面図である。
【図４】別室を第一の収容室に対して折り畳んだ時に外側に位置する別室の壁と第一の収容室の壁とを含むシート材部分にバリアフィルムを貼着した別の実施形態に係る複室容器の容器本体の一面側を示した図である。
【図５】別室の一辺部を弱シールして剥離可能に形成した更に別の実施形態に係る複室容器の容器本体の一面側を示した図である。
【図６】別室を第一の収容室に対して折り畳んだ時に内側で重ね合わされる、第一の収容室の壁と別室の壁とを構成しているシート材部分の適宜箇所に通気手段を設けた更に別の実施形態に係る複室容器の部分縦断面図である。
【符号の説明】
１　　　　　　　容器本体
１ａ，１ｂ　　　容器本体を構成している可撓性シート材
１ａ’，１ｂ’　別室と第一の収容室との壁を構成しているシート材部分
３　　　　　　　第一の収容室
５　　　　　　　第二の収容室
７　　　　　　　第一の仕切部
８　　　　　　　第二の仕切部
１３　　　　　　バリアフィルム
２０　　　　　　別室
３０　　　　　　通気手段
Ｘ　　　　　　　乾燥剤等
【図１】
2004016539.tif 000003
【図２】
2004016539.tif 000004
【図３】
2004016539.tif 000005
【図４】
2004016539.tif 000006
【図５】
2004016539.tif 000007
【図６】
2004016539.tif 000008